(57)【特許請求の範囲】
【請求項１】
ターゲットとなるピンが静置されると共に、プレイヤーにより投じられた球が転がる表面を有する台と、
前記台を支持する脚部と、
前記台の一端に配設され、前記台から落ちた前記球及び前記球が衝突することにより弾かれた前記ピンを収容する収容部と、
前記台に付設され、前記収容部を、使用状態において第１の位置に固定すると共に、非使用状態においては前記台の直下における第２の位置に固定する切替部を備え、
前記切替部は、
前記台に付設された本体部と、
前記収容部に連結されると共に、前記本体部に対して回動自在に係合された回動部を含み、
前記本体部は、異なる方向において択一的に前記回動部を固定する遊戯装置。
【請求項２】
ターゲットとなるピンが静置されると共に、プレイヤーにより投じられた球が転がる表面を有する台と、
前記台を支持する脚部と、
前記台の一端に配設され、前記台から落ちた前記球及び前記球が衝突することにより弾かれた前記ピンを収容する収容部と、
前記台に付設され、前記収容部を、使用状態において第１の位置に固定すると共に、非使用状態においては前記台の直下における第２の位置に固定する切替部と、
前記台の両側面に配設され、前記球又は前記弾かれた前記ピンの少なくとも一方が前記台から落ちることを防ぐ落下防止部を備え、
前記切替部は、
前記台に付設された本体部と、
前記収容部に連結されると共に、前記本体部に対して回動自在に係合された回動部と、
前記落下防止部と前記回動部を連結する連結部材を含み、
前記本体部は、異なる方向において択一的に前記回動部を固定すると共に、
前記切替部は、前記収容部が前記第２の位置に固定される場合には、前記落下防止部を前記面より下げる遊戯装置。
【請求項３】
ターゲットとなるピンが静置されると共に、プレイヤーにより投じられた球が転がる表面を有する台と、
前記台を支持する脚部と、
前記台の一端に配設され、前記台から落ちた前記球及び前記球が衝突することにより弾かれた前記ピンを収容する収容部と、
前記台に付設され、前記収容部を、使用状態において第１の位置に固定すると共に、非使用状態においては前記台の直下における第２の位置に固定する切替部と、
前記台の両側面に配設され、前記球又は前記弾かれた前記ピンの少なくとも一方が前記台から落ちることを防ぐと共に、前記台の他端に設けられた回転軸の周りに回転する落下防止部を備え、
前記切替部は、前記収容部が前記第２の位置に固定される場合には、前記落下防止部を前記面より下げる遊戯装置。
【請求項４】
前記収容部は、
前記収容を行う空間を規定するフレームと、
前記フレームに敷設されたシートを含む、請求項１に記載の遊戯装置。
【請求項５】
前記収容部は、
前記収容を行う空間を規定するフレームと、
前記フレームに張られた網を含む、請求項１に記載の遊戯装置。
【発明の詳細な説明】
【技術分野】
【０００１】
本発明は、台上でゲームを楽しむことのできる遊戯装置に係るものである。
【背景技術】
【０００２】
本願の発明者は、特許文献１の図１に示されるように、既存の卓球台の表面の一端にピンポン球Ｂｔを配列させ、キューで上記表面の他端に置かれたビリヤード球Ｂｂを突いて上記ピンポン球Ｂｔを弾き、上記卓球台から落としたピンポン球Ｂｔの数を競うという一種の新たなビリヤードゲームを行うための遊戯装置１を考案した。
【先行技術文献】
【特許文献】
【０００３】
【特許文献１】特開２０１９−１８７９５１号公報
【発明の概要】
【発明が解決しようとする課題】
【０００４】
ここで、特許文献１の図３に示されるように、ユーザが上記ビリヤードゲームを行う場合には、台２に固着された磁石Ｍと鉄片１６を磁力により吸着させることにより回収部３が固定される。
【０００５】
しかし、ユーザが上記台２で卓球を行う場合、回収部３を取り外そうとすれば所定の手数が必要になる一方で、取り外さないときでも上記鉄片１６が磁石Ｍから乖離されることにより回収部３が金具１１の周りで自在に回動しうる不安定な状態になってしまい、場合によっては台２の直下からはみ出してプレイヤーの安全性を阻害しうるという課題がある。
【０００６】
本発明は、上記のような課題を解決するためになされたもので、安全性を担保しながら台上で新たなゲームを手軽に楽しむことのできる遊戯装置を提供することを目的とする。
【課題を解決するための手段】
【０００７】
本発明は上記課題を解決するため、ターゲットとなるピンが静置されると共に、プレイヤーにより投じられた球が転がる表面を有する台と、上記台を支持する脚部と、上記台の一端に配設され、上記台から落ちた球及び球が衝突することにより弾かれたピンを収容する収容部と、上記台に付設され、収容部を、使用状態において第１の位置に固定すると共に、非使用状態においては上記台の直下における第２の位置に固定する切替部を備えた遊戯装置を提供する。
【発明の効果】
【０００８】
本発明によれば、安全性を担保しながら台上で新たなゲームを手軽に楽しむことのできる遊戯装置を提供することができる。
【図面の簡単な説明】
【０００９】
【図１】本発明の実施の形態に係る遊戯装置１の構成を示す平面図である。
【図２】ボーリング用ピンのミニチュアであるピンｔｐを図１に示されるように並置させるための位置決め器ｓの構成を示し、それぞれ図２（ａ）は斜視図、図２（ｂ）は横断面図である。
【図３】図１に示された遊戯装置１のＡ−Ａ線に沿った断面構造を示す側面図である。
【図４】図３に示された切替部ＳＷの構成を詳しく示した側面図である。
【図５】図４に示された本体部材５及び回動部材６の構造を説明するための側面図である。
【図６】図１、３〜５に示された収容部３の第１の構成例を示す斜視図である。
【図７】図１、３〜５に示された収容部３の第２の構成例を示す斜視図である。
【発明を実施するための形態】
【００１０】
以下において、本発明の実施の形態を図面を参照しつつ詳しく説明する。なお、図中同一符号は同一又は相等部分を示す。
【００１１】
図１は、本発明の実施の形態に係る遊戯装置１の構成を示す平面図である。
図１に示されるように、遊戯装置１はターゲットとなるピンｔｐが静置されると共に、プレイヤーにより投じられた球ｂが転がる表面を有する卓球用等の台２と、台２の一端に配設され、台２から落ちた球ｂ及び球ｂが衝突することにより弾かれたピンｔｐを収容する収容部３と、台２の両側面に配設され、球ｂ又は上記の弾かれたピンｔｐの少なくとも一方が台２から落ちることを防ぐ落下防止板４を備えたものである。
【００１２】
なお、上記ピンｔｐは、図２〜４に示されるようにボーリング用ピンと相似形をなし、例えばプラスチック等の材料により成形された、いわゆるボーリング用ピンのミニチュア等（以下、単に「ピン」という。）とされ、上記球ｂも、例えばプラスチック等の材料により成形されたものが好適である。
【００１３】
最初に、上記遊戯装置１を用いて行う新たなゲームの概要について説明する。
ゲーム開始前に、図１に示されるように例えば、汎用されている卓球台からなる台２の表面の一端に、ターゲットとして例えば１０個のピンｔｐを規則的に配列させて静置（セット）する。
【００１４】
このとき、ピンｔｐはどのような方法でセットしても良いことは言うまでも無いが、例えば図２（ａ）に示されるような、把持部ｇを有し、底に穴が開けられたお盆状の位置決め器ｓを使用すれば好適である。
【００１５】
すなわちユーザは、上記把持部ｇを持って、底部に形成されたストッパーｓｔが図２（ｂ）に示されるように台２の一端に当接するよう位置決め器ｓを台２上に配置させ、各穴にピンｔｐを入れて静置し、その後に把持部ｇを持って位置決め器ｓを台２の表面から取り除くようにすれば、ピンｔｐを容易にセットすることができる。
【００１６】
このようにして準備を終えた後にゲーム開始となるが、プレイヤーは図１に示された矢印のように台２の他端から上記ピンｔｐに向かって球ｂをボーリングと同様に手で投げる。そして、出来るだけ少ない投球回数で台２の表面に静置された全てのピンｔｐを倒し、若しくは台２から落とすことを競い、通常のボーリングと同様なルールで遊ぶことができる。
【００１７】
なお、上記卓球台が載置されている床面に箱状の台を置き、その上に乗って上記球ｂを投げるようにすれば、背の低い子供であっても上記ゲームを楽しむことができる。
【００１８】
以上のように、遊戯装置１は、ボーリング場に足を運ばずとも一種のボーリングゲームを手軽に行う手段を提供するものである。具体的には、台２として例えば既存の卓球台を使用すれば、図１に示された収容部３と落下防止板４を当該卓球台に取り付けるだけで、卓球のみならず上記ボーリングゲームをも選択的に行うことができるようになるため、ボーリング場で行われているボーリングゲームと同様のゲーム（以下、単に「ボーリングゲーム」という。）を身近に楽しむことができる。
【００１９】
以下において、上記遊戯装置１について詳しく説明する。
図３は、図１に示された遊戯装置１のＡ−Ａ線に沿った断面構造を示す側面図である。図３に示されるように、遊戯装置１は、台２を支持する脚部８と、台２の裏面に付設され、収容部３を使用状態において実線で示された位置に固定すると共に、非使用状態においては台２の直下における破線で示された位置に固定する切替部ＳＷを備える。なお、図中（図４も同じ）の破線両矢印は、収容部３を手で上げ下げすることで、切替部ＳＷにより上記使用状態と上記非使用状態とを容易に切替えられることを示す。
【００２０】
また、遊戯装置１は、側面に台２の他端に設けられた回転軸１１の周りに回転する落下防止板４を備える。ここで、後述するように、切替部ＳＷは、落下防止板４と連結されているため、収容部３を破線で示された位置に固定する場合には、落下防止板４を連動させて台２の表面より下げる機能を有する。
【００２１】
図４は、図３に示された切替部ＳＷの構成を詳しく示した側面図である。図４に示されるように、切替部ＳＷは台２の裏面に付設された本体部材５と、収容部３に連結されると共に本体部材５に対して回転軸ｃの周りに回動自在に係合された回動部材６を含み、本体部材５は、異なる二方向において択一的に回動部材６を固定する。具体的には、回動部材６は、台２の上でボーリングゲームを行う場合は実線で示された位置に固定され、同じ台２の上で卓球を行う場合は破線で示された位置に固定される。
【００２２】
また、切替部ＳＷは、落下防止板４と回動部材６を連結する連結部材７をさらに含む。このような構成によって、破線両矢印に示されるように、回動部材６が実線の位置から破線の位置まで回動するにつれて連結部材７も下方へ移動するため、上記のように落下防止板４を台２の表面より下げることができる。なお、その逆に、回動部材６を破線の位置から実線の位置まで回動させれば連結部材７はそれに伴って上方へ移動するため、落下防止板４を台２の表面より上げることができることは言うまでもない。
【００２３】
図５は、図４に示された本体部材５及び回動部材６の構造を説明するための側面図である。図５に示されるように、本体部材５は例えば、上記の異なる二方向へ分岐した形状をなす金属板からなり、各分岐先において上記金属板の少なくとも一方の表面に凸部９が形成される。また、回動部材６は例えば、上記金属板を挟みながら回転軸ｃの周りに回動する対向した二つの金属板からなり、当該二つの金属板の少なくとも一方に凹部１０が形成される。このような構成によって、回動部材６の凹部１０が本体部材５の凸部９に重ねられると、回動部材６をなす上記二つの金属板が本体部材５をなす金属板５を強く挟持することができるため、回動部材６を上記二方向のうちいずれか一方へ択一的に固定させることができる。
【００２４】
なお、上記においては、本体部材５が異なる二方向へ分岐した形状をなす金属板からなる場合を例示したが、異なる三以上の方向へ分岐した形状であっても良い。この場合には、三以上の位置において収容部３を択一的に固定させることができることになる。また、本体部材５や回動部材６の材質は金属に限られず、収容部３を支えることができる強度を持ったプラスチック等であっても良い。
【００２５】
図６は、図１、３〜５に示された収容部３の第１の構成例を示す斜視図である。図６に示されるように、収容部３は、台２から落ちた球ｂ及び球ｂが衝突することにより弾かれたピンｔｐの収容を行う空間を規定するフレームＦ１〜Ｆ４と、フレームＦ１〜Ｆ４に敷設されたシート１２を含む。
【００２６】
ここで例えば、対向するフレームＦ１，Ｆ２はアルファベット「Ｊ」の字型とされ、これらのフレームＦ１，Ｆ２同士を橋渡しするようフレームＦ３，Ｆ４が架設されることにより、上記空間が規定される。また、上記シート１２としては例えば、塩化ビニル樹脂により成形されたものが用いられる。そして、本シート１２は例えば、フレームＦ３に掛けられてフレームＦ４の上に載置され、フレームＦ３を跨いで折られたシート１２同士が留め具１３により留められることにより固定される。
【００２７】
図７は、図１、３〜５に示された収容部３の第２の構成例を示す斜視図である。図７に示されるように、収容部３は、図６に示された収容部３と同様な構成を有するが、図６に示されたシート１２に替えてフレームＦ１〜Ｆ４に張られた網１４を用いても良い。なお、図７では、見た目が煩瑣になることを考慮して、図６に示されたフレームＦ３，Ｆ４の記載は省略されている。
【００２８】
なお、収容部３において、上記空間の底面を構成するシート１２や網１４の中央部などに穴を開けておけば、球ｂだけを上記穴から落下させることができるため、球ｂとピンｔｐを分別回収するのに好適である。
【００２９】
以上のように、本発明の実施の形態に係る遊戯装置１によれば、汎用されている卓球台を台２として使用できると共に、切替部ＳＷを用いた簡易な操作により収容部３の配置を変更することができるため、卓球と台２上で行うボーリングゲームの双方を手軽に楽しむことができる。このとき、切替部ＳＷにより、卓球を行う際には収容部３を台２の直下に確実に固定することができるため、卓球を行う際にプレイヤーが収容部３と衝突する事態を回避して安全性を担保することができる。
【００３０】
また、上記のように、切替部ＳＷは、ユーザ等が収容部３を手で上下させることにより、落下防止板４を連動して台２の表面に対して上げ下げする機能を有するため、遊びの対象をボーリングゲームから卓球へ、若しくはその逆に、卓球からボーリングゲームへ容易に変更することができる。
【００３１】
なお、本遊戯装置１は、台２の表面の一端にピンｔｐやピンポン球を配列させ、台２の表面の他端に置かれた球をキューで突いて上記ピンｔｐやピンポン球を弾き、台２から落とした数を競うといった特許文献１に開示された一種の新たなビリヤードゲームを行う場合にも好適なものである。
【符号の説明】
【００３２】
１  遊戯装置、２  台、３  収容部、４  落下防止板、５  本体部材、６  回動部材、７  連結部材、８  脚部、１１  回転軸、１２  シート、１３  留め具、１４  網、ＳＷ  切替部、Ｆ１〜Ｆ４  フレーム。
【要約】
【課題】安全性を担保しながら台上でボーリングゲームを手軽に楽しめる遊戯装置を提供する。
【解決手段】
上記課題を解決するため、ボーリング用ピンのミニチュアからなるピンｔｐがターゲットとして静置されると共に、プレイヤーにより投じられた球ｂが転がる表面を有する台２と、上記台２を支持する脚部８と、上記台２の一端に配設され、上記台２から落ちた球ｂ及び球ｂが衝突することにより弾かれたピンｔｐを収容する収容部３と、上記台２に付設され、収容部３を、ボーリングゲーム実行時において第１の位置に固定すると共に、卓球実行時においては上記台２の直下における第２の位置に固定する切替部ＳＷを備えた遊戯装置１を提供する。
【選択図】図３【図１】
0006675523.tif 000002
【図２】
0006675523.tif 000003
【図３】
0006675523.tif 000004
【図４】
0006675523.tif 000005
【図５】
0006675523.tif 000006
【図６】
0006675523.tif 000007
【図７】
0006675523.tif 000008